(57)【要約】【課題】部品リールとテープフィーダで構成された部品供給ユニットの最適な配置を決定することができる部品供給ユニットの配置決定方法および部品供給ユニットの配置決定装置を提供する。【解決手段】部品を収納した部品収納テープを巻回した部品リールと、部品リールから引き出して挿入された部品収納テープを供給するテープフィーダとで構成された部品供給ユニットを複数保持する保持部に配置させる部品供給ユニット配置を決定する部品供給ユニットの配置決定方法は、部品供給ユニットを構成する部品リールの数の情報を含む部品供給ユニット情報と、保持部に部品供給ユニットを配置する際に選択可能なレイアウトに関する情報を含む制約条件情報とを取得し（ＳＴ３）、制約条件情報と部品リールの数の情報に基づいて、部品供給ユニット配置を決定する（ＳＴ４）。【選択図】図１４
2019179810.tif 000002
【特許請求の範囲】
【請求項１】
部品を収納した部品収納テープを巻回した部品リールと、前記部品リールから引き出して挿入された前記部品収納テープを供給するテープフィーダとで構成された部品供給ユニットを複数保持する保持部に配置させる部品供給ユニット配置を決定する部品供給ユニットの配置決定方法であって、
部品供給ユニットを構成する部品リールの数の情報を含む部品供給ユニット情報と、前記保持部に部品供給ユニットを配置する際に選択可能なレイアウトに関する情報を含む制約条件情報とを取得し、
前記制約条件情報と前記部品リールの数の情報に基づいて、前記部品供給ユニット配置を決定する、部品供給ユニットの配置決定方法。
【請求項２】
前記部品供給ユニットを構成する部品リールの数に基づいて、前記部品供給ユニットを構成するテープフィーダを前記保持部に配置する間隔を決定する、請求項１に記載の部品供給ユニットの配置決定方法。
【請求項３】
前記部品供給ユニット情報には、前記部品供給ユニットを構成する部品リールのリール径の情報が含まれ、
前記部品供給ユニットを構成する部品リールのリール径に基づいて、前記部品供給ユニットを構成するテープフィーダを前記保持部に配置する間隔を決定する、請求項１または２に記載の部品供給ユニットの配置決定方法。
【請求項４】
前記保持部は、複数の部品リールを保持する複数の保持列を有し、
前記複数の保持列のそれぞれに保持することができる部品リールのリール径に基づいて、前記部品供給ユニットを構成するテープフィーダを前記保持部に配置する間隔を決定する、請求項３に記載の部品供給ユニットの配置決定方法。
【請求項５】
前記部品供給ユニットを構成するテープフィーダが部品リールを保持可能か否かに基づいて、前記部品供給ユニットを構成するテープフィーダを前記保持部に配置する間隔を決定する、請求項１から４のいずれかに記載の部品供給ユニットの配置決定方法。
【請求項６】
前記テープフィーダは、複数の前記部品リールから引き出して挿入された複数の前記部品収納テープを自動で切り換えて供給するオートロードフィーダを含む、請求項１から５のいずれかに記載の部品供給ユニットの配置決定方法。
【請求項７】
決定した前記部品供給ユニットの配置を表示する、請求項１から６のいずれかに記載の部品供給ユニットの配置決定方法。
【請求項８】
部品を収納した部品収納テープを巻回した部品リールと、前記部品リールから引き出して挿入された前記部品収納テープを供給するテープフィーダとで構成された部品供給ユニットを複数保持する保持部に配置させる部品供給ユニット配置を決定する部品供給ユニットの配置位置決定装置であって、
部品供給ユニットを構成する部品リールの数の情報を含む部品供給ユニット情報と、前記保持部に部品供給ユニットを配置する際に選択可能なレイアウトに関する情報を含む制約条件情報とを取得する情報取得部と、
前記制約条件情報と前記部品リールの数の情報に基づいて、前記部品供給ユニット配置を決定するユニット配置決定部を備える、部品供給ユニットの配置決定装置。
【請求項９】
前記ユニット配置決定部は、前記部品供給ユニットを構成する部品リールの数に基づいて、前記部品供給ユニットを構成するテープフィーダを前記保持部に配置する間隔を決定する、請求項８に記載の部品供給ユニットの配置決定装置。
【請求項１０】
前記部品供給ユニット情報には、前記部品供給ユニットを構成する部品リールのリール径の情報が含まれ、
前記ユニット配置決定部は、前記部品供給ユニットを構成する部品リールのリール径に基づいて、前記部品供給ユニットを構成するテープフィーダを前記保持部に配置する間隔を決定する、請求項８または９に記載の部品供給ユニットの配置決定装置。
【請求項１１】
前記保持部は、複数の部品リールを保持する複数の保持列を有し、
前記ユニット配置決定部は、前記複数の保持列のそれぞれに保持することができる部品リールのリール径に基づいて、前記部品供給ユニットを構成するテープフィーダを前記保持部に配置する間隔を決定する、請求項１０に記載の部品供給ユニットの配置決定装置。
【請求項１２】
前記ユニット配置決定部は、前記部品供給ユニットを構成するテープフィーダが部品リールを保持可能か否かに基づいて、前記部品供給ユニットを構成するテープフィーダを前記保持部に配置する間隔を決定する、請求項８から１１のいずれかに記載の部品供給ユニットの配置決定装置。
【請求項１３】
前記テープフィーダは、複数の前記部品リールから引き出して挿入された複数の前記部品収納テープを自動で切り換えて供給するオートロードフィーダを含む、請求項８から１２のいずれかに記載の部品供給ユニットの配置決定装置。
【請求項１４】
決定した前記部品供給ユニットの配置を表示する表示部を備える、請求項８から１３のいずれかに記載の部品供給ユニットの配置決定装置。
【発明の詳細な説明】
【技術分野】
【０００１】
本発明は、部品リールとテープフィーダで構成された部品供給ユニットの配置を決定する部品供給ユニットの配置決定方法および部品供給ユニットの配置決定装置に関する。
【背景技術】
【０００２】
部品を基板に実装する部品実装装置には、部品を収納した部品収納テープを巻回した部品リールと、部品リールから引き出した部品収納テープを搬送して部品を供給する部品供給装置が複数配置される。部品供給装置と部品リールは台車（保持部）に配置され、部品実装装置の生産性が高くなるように保持部における配置が決められる。部品供給装置として、供給している部品収納テープの後端部に新たな部品収納テープの先端部をテープで継ぎ合わせて部品補給を行うマニュアルロードフィーダの他、先行の部品収納テープから部品が供給されている間に挿入された部品補給用の後続の部品収納テープに自動で切り換えて部品供給を継続するオートロードフィーダが知られている（例えば、特許文献１）。
【０００３】
特許文献１には、オートロードフィーダは保持部の中央に固定して配置し、マニュアルロードフィーダはその他の位置に移動可能に配置し、生産する基板の種類を変更する際の部品供給装置と部品リールの交換作業時間を低減させつつ、基板に部品を実装するサイクルタイムを最短化するように部品供給装置と部品リールの配置を決定することが記載されている。
【先行技術文献】
【特許文献】
【０００４】
【特許文献１】国際公開第２０１６／１４２９８８号
【発明の概要】
【発明が解決しようとする課題】
【０００５】
しかしながら、オートロードフィーダを保持部の中央に固定する配置が最善の配置とは限らず、また、装置毎に２つの部品リールを占有するオートロードフィーダは部品リールの配置に制限があるため、オートロードフィーダを移動可能に配置する場合は部品リールとオートロードフィーダの配置を決定する作業に多大な工数を要するという課題があった。
【０００６】
そこで本発明は、部品リールとテープフィーダで構成された部品供給ユニットの最適な配置を決定することができる部品供給ユニットの配置決定方法および部品供給ユニットの配置決定装置を提供することを目的とする。
【課題を解決するための手段】
【０００７】
本発明の部品供給ユニットの配置決定方法は、部品を収納した部品収納テープを巻回した部品リールと、前記部品リールから引き出して挿入された前記部品収納テープを供給するテープフィーダとで構成された部品供給ユニットを複数保持する保持部に配置させる部品供給ユニット配置を決定する部品供給ユニットの配置決定方法であって、部品供給ユニットを構成する部品リールの数の情報を含む部品供給ユニット情報と、前記保持部に部品供給ユニットを配置する際に選択可能なレイアウトに関する情報を含む制約条件情報とを取得し、前記制約条件情報と前記部品リールの数の情報に基づいて、前記部品供給ユニット配置を決定する。
【０００８】
本発明の部品供給ユニットの配置決定装置は、部品を収納した部品収納テープを巻回した部品リールと、前記部品リールから引き出して挿入された前記部品収納テープを供給するテープフィーダとで構成された部品供給ユニットを複数保持する保持部に配置させる部品供給ユニット配置を決定する部品供給ユニットの配置位置決定装置であって、部品供給ユニットを構成する部品リールの数の情報を含む部品供給ユニット情報と、前記保持部に部品供給ユニットを配置する際に選択可能なレイアウトに関する情報を含む制約条件情報とを取得する情報取得部と、前記制約条件情報と前記部品リールの数の情報に基づいて、前記部品供給ユニット配置を決定するユニット配置決定部を備える。
【発明の効果】
【０００９】
本発明によれば、部品リールとテープフィーダで構成された部品供給ユニットの最適な配置を決定することができる。
【図面の簡単な説明】
【００１０】
【図１】本発明の一実施の形態の部品実装装置の構成説明図
【図２】本発明の一実施の形態の部品実装装置に装着された台車の構成説明図
【図３】（ａ）（ｂ）本発明の一実施の形態の台車に装着されるリールホルダの説明図
【図４】（ａ）（ｂ）本発明の一実施の形態の台車に部品リールを配置したレイアウトの例の説明図
【図５】（ａ）（ｂ）本発明の一実施の形態の台車に部品リールを配置したレイアウトの例の説明図
【図６】本発明の一実施の形態の台車に装着される（ａ）オートロードフィーダの説明図（ｂ）マニュアルロードフィーダの説明図
【図７】本発明の一実施の形態の管理コンピュータ（部品供給ユニットの配置決定装置）の構成を示すブロック図
【図８】本発明の一実施の形態の部品実装装置において使用されるテープフィーダのリソース情報の例の説明図
【図９】本発明の一実施の形態の部品実装装置において使用される部品リールのリソース情報の例の説明図
【図１０】本発明の一実施の形態の保持部に部品リールを配置するレイアウトの情報の例の説明図
【図１１】本発明の一実施の形態の保持部に配置する部品供給ユニットの例の説明図
【図１２】本発明の一実施の形態の保持部にテープフィーダを配置する際の制約条件の例の説明図
【図１３】本発明の一実施の形態の保持部に部品供給ユニットを配置させる部品供給ユニット配置の例の説明図
【図１４】本発明の一実施の形態の部品供給ユニットの配置決定方法のフロー図
【図１５】（ａ）（ｂ）本発明の一実施の形態の保持部の他の例の説明図
【発明を実施するための形態】
【００１１】
以下に図面を用いて、本発明の一実施の形態を詳細に説明する。以下で述べる構成、形状等は説明のための例示であって、部品実装装置、テープフィーダ、台車、部品リールなどの仕様に応じ、適宜変更が可能である。以下では、全ての図面において対応する要素には同一符号を付し、重複する説明を省略する。図１、及び後述する一部では、水平面内で互いに直交する２軸方向として、基板搬送方向のＸ方向（図１における紙面垂直方向）、基板搬送方向に直交するＹ方向（図１における左右方向）が示される。また、水平面と直交する高さ方向としてＺ方向（図１における上下方向）が示される。
【００１２】
まず図１を参照して、部品実装装置１の構成を説明する。部品実装装置１は、基板に部品を搭載した実装基板を製造する機能を有している。基台１ａの上面に設けられた基板搬送機構２は、基板３をＸ方向に搬送して位置決めして保持する。基板搬送機構２の上方には、図示省略するヘッド移動機構によって水平方向（Ｘ方向、Ｙ方向）に移動する実装ヘッド４が設置されている。
【００１３】
基板搬送機構２の側方において基台１ａに結合された台車５の上部には、複数のテープフィーダ６がＸ方向に並んで取り付けられている。テープフィーダ６は、部品実装装置１に供給される部品を収納した部品収納テープ７を巻回した部品リール８から引き出された部品収納テープ７をテープ送り方向に搬送して実装ヘッド４による部品取り出し位置に部品を供給する部品供給装置である。
【００１４】
台車５の前方側であってテープフィーダ６の下方には、Ｘ方向に並ぶ複数の上部リール保持部９ＵとＸ方向に並ぶ複数の下部リール保持部９Ｂが上下に設置されている（図２参照）。上部リール保持部９Ｕおよび下部リール保持部９Ｂは、それぞれ部品リール８を回転可能に保持する。下部リール保持部９Ｂの前方には、複数のリールホルダ２０がＸ方向に並んで装着されている。リールホルダ２０は台車５に着脱可能であり、それぞれ複数の部品リール８を保持することができる。台車５は部品実装装置１に着脱可能であり、装着する部品実装装置１に応じて保持可能なテープフィーダ６および部品リール８の数が異なる複数の種類が用意される。
【００１５】
図１において、台車５の上方には、作業者が部品装着作業中の実装ヘッド４などの可動機構に触れないようにカバーする開閉自在の本体カバー１０が設置されている。部品実装装置１は、基板搬送機構２、実装ヘッド４、ヘッド移動機構を制御する実装制御部１１を備えている。実装制御部１１は、テープフィーダ６に部品の供給指令を送信し、実装ヘッド４、ヘッド移動機構を制御して、実装ヘッド４によってテープフィーダ６が部品取り出し位置に供給する部品を取り出し、基板搬送機構２に保持させた基板３の実装位置に移送搭載する部品実装作業を実行させる。
【００１６】
実装制御部１１は、有線または無線による通信ネットワーク１２によって管理コンピュータ１３と接続されており、管理コンピュータ１３との間でデータの送受信を行うことができる。管理コンピュータ１３は、部品実装装置１を備えた部品実装ラインにおいて製造する実装基板の生産管理、部品実装ラインで使用する台車５、テープフィーダ６、部品リール８などのリソースの管理、台車５へのテープフィーダ６の配置の決定、台車５およびリールホルダ２０への部品リール８の配置の決定などの処理を実行する。
【００１７】
次に図２を参照して、本実施の形態の台車５の構成と機能について説明する。台車５の上部には、フィーダ装着部５ａが設置されている。フィーダ装着部５ａの上面には、テープフィーダ６を装着するための複数（ここでは１７個）のスロットＳ１〜Ｓ１７が部品実装装置１に装着した状態で基板搬送方向（Ｘ方向）に等間隔に形成されている。１個のスロットＳには、標準のテープフィーダ６Ｌを１基、薄型のテープフィーダ６Ｓを２基装着することができる。スロットＳ１５には薄型のテープフィーダ６Ｓが２基装着されている。便宜上、スロットＳ１５における左側の薄型のテープフィーダ６Ｓの位置をスロットＳ１５Ｌ、右側の薄型のテープフィーダ６Ｓの位置をスロットＳ１５Ｒなどと称する。
【００１８】
図２において、フィーダ装着部５ａの下方には、各スロットＳ１〜Ｓ１７の位置に対応して、複数（ここでは１７個）の下部リール保持部９ＢがＸ方向に等間隔に形成されている。フィーダ装着部５ａと下部リール保持部９Ｂの間には、スロットＳ１〜Ｓ１７の位置に対応して、複数（最大で１７個）の上部リール保持部９ＵをＸ方向に等間隔に装着することができる。上部リール保持部９Ｕは着脱可能で、リール径の小さな小型の部品リール８Ｓを１本保持することができる。
【００１９】
下部リール保持部９Ｂは、小型の部品リール８Ｓ、または、リール径の大きな大型の部品リール８Ｌを１本保持することができる。下部リール保持部９Ｂに大型の部品リール８Ｌを保持させる場合は、保持させた大型の部品リール８Ｌと干渉する同じスロットＳの位置には上部リール保持部９Ｕを装着することができない。すなわち、下部リール保持部９Ｂに大型の部品リール８Ｌを保持させる場合、同じスロットＳの位置にある上部リール保持部９Ｕを装着することができる位置には小型の部品リール８Ｓを保持させることができない。
【００２０】
図２において、リールホルダ２０は、下部リール保持部９Ｂの前方であって、スロットＳの位置の間に装着される。台車５に装着されたリールホルダ２０は、左右にそれぞれ小型の部品リール８Ｓを２本、または、大型の部品リール８Ｌを１本保持することができる。リールホルダ２０が保持している小型の部品リール８Ｓまたは大型の部品リール８Ｌの位置は、リールホルダ２０が装着された位置（スロットＳの間）の左右のスロットＳのいずれかの位置である。
【００２１】
例えば、スロットＳ１の位置とスロットＳ２の位置の間に装着されたリールホルダ２０が保持している部品リール８の位置は、スロットＳ１の位置またはスロットＳ２の位置である。リールホルダ２０は、左右のリールホルダ２０に装着した部品リール８の間から作業者が作業することが可能な空間を確保できる間隔を空けて台車５に装着される。
【００２２】
次に図３を参照して、リールホルダ２０の構成と機能について説明する。リールホルダ２０は、板状のアーム部２１と装着部２２を備えて構成される。リールホルダ２０は、装着部２２を台車５に装着することにより台車５に固定される。アーム部２１は、装着部２２の上部から上方に延伸して形成されている。アーム部２１は、リールホルダ２０が台車５に装着された状態で、外側に傾斜している。アーム部２１には、上部ピン取付け穴２３と下部ピン取付け穴２４が上下に形成されている。上部ピン取付け穴２３と下部ピン取付け穴２４の左右には、リール保持ピン２５が挿入される。リール保持ピン２５には、小型の部品リール８Ｓまたは大型の部品リール８Ｌの中央に形成された芯部孔８Ｈを挿入することができる。
【００２３】
下部ピン取付け穴２４に挿入されたリール保持ピン２５は、小型の部品リール８Ｓを保持することができる。上部ピン取付け穴２３に挿入されたリール保持ピン２５は、小型の部品リール８Ｓまたは大型の部品リール８Ｌを保持することができる。以下、小型の部品リール８Ｓと大型の部品リール８Ｌを区別する必要がない場合は、単に部品リール８と称す。また、上部ピン取付け穴２３に挿入されたリール保持ピン２５の位置をリールホルダ２０の上部保持位置と称し、下部ピン取付け穴２４に挿入されたリール保持ピン２５の位置をリールホルダ２０の下部保持位置と称す。
【００２４】
次に図４、図５を参照して、台車５および台車５に装着したリールホルダ２０に部品リール８を配置する際に選択可能なレイアウトの例について説明する。図４（ａ）は、同じスロットＳの位置にある、上部リール保持部９Ｕ、下部リール保持部９Ｂ、リールホルダ２０の上部保持位置、下部保持位置に、それぞれ小型の部品リール８Ｓを保持させたレイアウトを示している。以下、テープフィーダ６の配置方向（Ｘ方向）に並ぶ、複数の上部リール保持部９Ｕを第１保持列Ｌ１、複数の下部リール保持部９Ｂを第２保持列Ｌ２、複数のリールホルダ２０の上部保持位置を第３保持列Ｌ３、複数のリールホルダ２０の下部保持位置を第４保持列Ｌ４と称す。
【００２５】
図４（ｂ）は、同じスロットＳの位置にある第１保持列Ｌ１と第２保持列Ｌ２にそれぞれ小型の部品リール８Ｓを保持させ、第３保持列Ｌ３に大型の部品リール８Ｌを保持させたレイアウトを示している。第３保持列Ｌ３に大型の部品リール８Ｌを保持させた場合、大型の部品リール８Ｌまたは部品収納テープ７同士が干渉する可能性があるため、同じスロットＳの位置にある第４保持列Ｌ４には部品リール８を保持させることができない。
【００２６】
図５（ａ）は、同じスロットＳの位置にある第２保持列Ｌ２に大型の部品リール８Ｌを保持させ、第３保持列Ｌ３に小型の部品リール８Ｓを保持させたレイアウトを示している。図５（ｂ）は、同じスロットＳの位置にある第２保持列Ｌ２に大型の部品リール８Ｌを保持させ、第３保持列Ｌ３に大型の部品リール８Ｌを保持させたレイアウトを示している。第２保持列Ｌ２に大型の部品リール８Ｌを保持させた場合、大型の部品リール８Ｌまたは部品収納テープ７同士が干渉する可能性があるため、同じスロットＳの位置にある第１保持列Ｌ１および第４保持列Ｌ４には部品リール８を保持させることができない。
【００２７】
このように、保持列Ｌ１〜Ｌ４は、複数の部品リール８を保持する。そして、台車５と台車５に装着されたリールホルダ２０は、複数の保持列Ｌ１〜Ｌ４を有する保持部を構成する。また、保持部に部品リール８を配置する際に選択可能なレイアウトは、保持部に配置する部品リール８のリール径で変化する。
【００２８】
次に図６（ａ）、図６（ｂ）を参照して、台車５に装着して使用されるテープフィーダ６であるオートロードフィーダ６Ａとマニュアルロードフィーダ６Ｍについて説明する。図６（ａ）において、オートロードフィーダ６Ａには、部品取り出し位置に部品を供給している部品収納テープ７（以下、「先行テープ７ａ」と称す。）が挿入口６Ａａから挿入されている。部品補給において作業者は、先行テープ７ａが挿入されている挿入口６Ａａの上部に、部品補給用の部品リール８から部品収納テープ７（以下、「後続テープ７ｂ」と称す。）を引き出して挿入する。
【００２９】
部品供給が継続実行されて先行テープ７ａの部品が無くなると、オートロードフィーダ６Ａは部品を供給する部品収納テープ７を自動で後続テープ７ｂに切替えて部品供給を継続させる。このように、オートロードフィーダ６Ａは、複数の部品リール８から引き出して挿入された複数の部品収納テープ７（先行テープ７ａ、後続テープ７ｂ）を自動で切り換えて供給する。
【００３０】
図６（ｂ）において、マニュアルロードフィーダ６Ｍには、挿入口６Ｍａから先行テープ７ａが挿入されており、部品取出し位置に部品が供給されている。挿入口６Ｍａから挿入されている先行テープ７ａの残りが少なくなると、作業者による部品補給が行われる。部品補給において作業者は、部品補給用の部品リール８から後続テープ７ｂを引き出して、先行テープ７ａの後端部に後続テープ７ｂの先端部をスプライシングテープＴによって継ぎ合わせる。継ぎ合わされた後続テープ７ｂが先行テープ７ａに続いてマニュアルロードフィーダ６Ｍに搬送されることにより、部品供給が継続される。
【００３１】
オートロードフィーダ６Ａおよびマニュアルロードフィーダ６Ｍは、搬送する部品収納テープ７のテープ幅に対応して標準や薄型などの複数の種類が用意される。以下、オートロードフィーダ６Ａとマニュアルロードフィーダ６Ｍを、搬送する部品収納テープ７のテープ幅などを区別する必要がない場合は、単にテープフィーダ６と称す。
【００３２】
図６（ａ）、図６（ｂ）において、テープフィーダ６と、このテープフィーダ６に挿入される（または、挿入された）部品収納テープ７を収納する部品リール８は、部品実装装置１に部品を供給する部品供給ユニットＵを構成する。そして、複数のテープフィーダ６と複数の部品リール８を保持する保持部（台車５、リールホルダ２０）は、複数の部品供給ユニットＵを保持する保持部である。
【００３３】
図６（ａ）において、オートロードフィーダ６Ａと、このオートロードフィーダ６Ａに挿入された先行テープ７ａと後続テープ７ｂを巻回する２本の部品リール８は、部品供給ユニットＵを構成する。図６（ｂ）において、マニュアルロードフィーダ６Ｍと、このマニュアルロードフィーダ６Ｍに挿入された先行テープ７ａを収納する図示省略する部品リール８は、部品供給ユニットＵを構成する。また、テープフィーダ６に部品補給するために予め保持部にセットされる部品リール８も、部品供給ユニットＵを構成する。図６（ｂ）では、後続テープ７ｂを収納する部品リール８も部品供給ユニットＵを構成する。
【００３４】
次に図７を参照して、管理コンピュータ１３の処理系の構成について説明する。管理コンピュータ１３は、処理部３０、記憶部３１、入力部３２、表示部３３、通信部３４を備えている。入力部３２は、キーボード、タッチパネル、マウスなどの入力装置であり、各種コマンド、データ入力時などに用いられる。表示部３３は液晶パネルなどの表示装置であり、各種データや入力画面を表示する。通信部３４は通信インターフェースであり、通信ネットワーク１２を介して部品実装装置１を含む部品実装ラインを構成する装置との間でデータの送受信を行う。
【００３５】
記憶部３１は記憶装置であり、生産データ３１ａ、ライン情報３１ｂ、リソース情報３１ｃ、保持部情報３１ｄ、部品供給ユニット情報３１ｅ、制約条件情報３１ｆ、ユニット配置３１ｇなどが記憶されている。処理部３０は、内部処理部として情報取得部３５、ユニット構成決定部３６、ユニット配置決定部３７を備えている。
【００３６】
生産データ３１ａには、生産する実装基板の種類毎に、基板３の生産枚数、基板３に実装される部品の部品名（種類）、実装位置（ＸＹ座標）など、基板３に部品を実装するために必要な情報が含まれている。ライン情報３１ｂには、部品実装装置１に装着可能な実装ヘッド４や台車５の種類など、部品実装ラインを構成する装置の情報が含まれている。リソース情報３１ｃには、部品実装ラインにおいて使用する台車５、テープフィーダ６、部品リール８などのリソースの種類や使用可能数に関する情報が含まれている。
【００３７】
ここで図８を参照して、テープフィーダ６に関するリソース情報３１ｃの例について説明する。テープフィーダ６に関するリソース情報３１ｃには、「フィーダ番号」４１、「フィーダタイプ」４２、「搬送テープ幅」４３、「占有スロット数」４４が含まれている。「フィーダ番号」４１は、テープフィーダ６を特定する番号である。「フィーダタイプ」４２は、テープフィーダ６がオートロードフィーダ６Ａ（オート）であるか、マニュアルロードフィーダ６Ｍ（マニュアル）であるかを示している。
【００３８】
「搬送テープ幅」４３は、テープフィーダ６が搬送する部品収納テープ７のテープ幅を示している。「占有スロット数」４４は、テープフィーダ６を台車５のフィーダ装着部５ａに装着する際に占有するスロットＳの数である。例えば、「フィーダ番号」４１が「ＦＡ１０１」のテープフィーダ６は、フィーダ装着部５ａを０．５スロットだけ占有し、テープ幅が４ｍｍの部品収納テープ７を搬送するオートロードフィーダ６Ａである。
【００３９】
次に図９を参照して、部品リール８に関するリソース情報３１ｃの例について説明する。部品リール８に関するリソース情報３１ｃには、「リール番号」４５、「リール径」４６、「収納テープ幅」４７、「部品名」４８が含まれている。「リール番号」４５は、部品リール８を特定する番号である。「リール径」４６は、部品リール８のリール径を特定する情報である。この例では、「Ｓ」が小径（小型の部品リール８Ｓ）、「Ｌ」が大径（大型の部品リール８Ｌ）を示している。
【００４０】
「収納テープ幅」４７は、部品リール８が巻回収納する部品収納テープ７のテープ幅を示している。「部品名」４８は、部品収納テープ７に収納された部品を特定する部品名である。例えば、「リール番号」４５が「ＲＳ１０１」の部品リール８は、部品名が「Ｄ１２３４」である部品を収納したテープ幅が４ｍｍの部品収納テープ７を収納する小型の部品リール８Ｓである。
【００４１】
図７において、保持部情報３１ｄには、保持部（台車５、リールホルダ２０）の種類毎に、保持部に部品リール８を配置する際に選択可能なレイアウトに関する情報が含まれている。ここで図１０を参照して、保持部情報３１ｄの例について説明する。図１０に示す保持部情報３１ｄは、図４、図５に示す保持部の同じスロットＳの位置の第１保持列Ｌ１、第２保持列Ｌ２、第３保持列Ｌ３、第４保持列Ｌ４に保持させることができる部品リール８の組合せ（レイアウト）を示している。保持部情報３１ｄには、「レイアウト番号」５１、「第１保持列Ｌ１」５２、「第２保持列Ｌ２」５３、「第３保持列Ｌ３」５４、「第４保持列Ｌ４」５５が含まれている。
【００４２】
「レイアウト番号」５１は、部品リール８の組合せ（レイアウト）を特定する番号である。「第１保持列Ｌ１」５２、「第２保持列Ｌ２」５３、「第３保持列Ｌ３」５４、「第４保持列Ｌ４」５５は、各保持列Ｌ１〜Ｌ４に保持させる部品リール８が小型の部品リール８Ｓ（Ｓ）であるか、大型の部品リール８Ｌ（Ｌ）であるか、あるいは部品リール８を保持させないか（―）を示している。例えば、「レイアウト番号」５１が「＃１」のレイアウトは、全ての保持列Ｌ１〜Ｌ４に小型の部品リール８Ｓが保持された図４（ａ）に示すレイアウトに対応する。同様に、「レイアウト番号」５１が「＃１６」は図４（ｂ）に、「＃２０」は図５（ａ）に、「＃２２」は図５（ｂ）のレイアウトに対応する。
【００４３】
図７において、情報取得部３５は、記憶部３１に記憶される生産データ３１ａ、リソース情報３１ｃから、実装基板の生産に必要な部品供給ユニットＵを決定するための各種情報を取得する。ユニット構成決定部３６は、取得された各種情報に基づいて、部品供給ユニットＵを構成するテープフィーダ６と部品リール８の組合せを決定する。より具体的にユニット構成決定部３６は、実装基板に実装する部品数、部品を収納する部品収納テープ７のテープ幅、テープフィーダ６の種類などを考慮して、生産に必要な複数の部品供給ユニットＵを決定して部品供給ユニット情報３１ｅとして記憶部３１に記憶させる。
【００４４】
ここで図１１を参照して、図８、図９に示すリソース情報３１ｃに基づいて作成された部品供給ユニット情報３１ｅの例について説明する。部品供給ユニット情報３１ｅには、部品供給ユニットＵを特定する「ユニット番号」６１に、テープフィーダ６を特定する「フィーダ番号」４１と、先行テープ７ａを収納する部品リール８に関する情報である「先行リール」６２と、後続テープ７ｂを収納する部品リール８に関する情報である「後続リール」６３が対応するように記憶されている。「先行リール」６２には、先行テープ７ａを収納する部品リール８を特定する「リール番号」４５とリール径を特定する「リール径」４６が含まれている。
【００４５】
「後続リール」６３には、後続テープ７ｂを収納する部品リール８を特定する「リール番号」４５とリール径を特定する「リール径」４６が含まれている。例えば、「ユニット番号」６１が「Ｕ１０１」の部品供給ユニットＵは、「フィーダ番号」４１が「ＦＡ１０１」のオートロードフィーダ６Ａと、先行テープ７ａを収納する「リール番号」４５が「ＲＳ１０１」の小型の部品リール８Ｓと、後続テープ７ｂを収納する「リール番号」４５が「ＲＳ１０３」の小型の部品リール８Ｓで構成されていることを示している。このように、部品供給ユニット情報３１ｅには、部品供給ユニットＵを構成する部品リール８の数とリール径の情報が含まれている。
【００４６】
部品供給ユニットＵを構成するテープフィーダ６がオートロードフィーダ６Ａの場合、後続リールとなる部品リール８が巻回する後続テープ７ｂは、先行テープ７ａと一緒に挿入口６Ａａに挿入される。部品供給ユニットＵを構成するテープフィーダ６がマニュアルロードフィーダ６Ｍの場合、後続リールとなる部品リール８が巻回する後続テープ７ｂは、先行テープ７ａに継ぎ合わせか、そのままの状態で保持部に保持される。
【００４７】
図７において、制約条件情報３１ｆには、保持部の種類ごとに、保持部に部品供給ユニットＵを配置する際に選択可能なレイアウト（制約条件）に関する情報が含まれている。ここで図１２を参照して、図４、図５に示す保持部に部品供給ユニットＵを配置する際のテープフィーダ６の配置に関する制約条件の例について説明する。テープフィーダ６の配置に関する制約条件情報３１ｆには、制約条件を特定する「条件番号」７１に、「占有スロット数」４４、「リール本数」７２、「リール径」７３、「リールホルダ装着有無」７４、「隣接間隔スロット数」７５が対応するように記憶されている。
【００４８】
「占有スロット数」４４は、部品供給ユニットＵを構成するテープフィーダ６が占有するスロットＳの数である。「リール本数」７２は部品供給ユニットＵを構成する部品リール８の数であり、「リール径」７３は部品リール８のリール径を特定する情報である。例えば、「Ｓ／Ｓ」は２本の部品リール８がいずれも小型の部品リール８Ｓであり、「Ｌ／Ｌ」は２本の部品リール８がいずれも大型の部品リール８Ｌであることを示している。「リールホルダ装着有無」７４は、リールホルダ２０が台車５の該当するスロットＳの位置に装着されているか（有り）否か（無し）を示している。
【００４９】
「隣接間隔スロット数」７５は、テープフィーダ６を保持部に配置する際の制約条件であり、隣接するテープフィーダ６との間に空けるスロットＳの数を示している。隣接するテープフィーダ６との間に空けるスロットＳの数は、保持部に部品リール８を配置する際に選択可能なレイアウト（保持部情報３１ｄ）で決まり、保持部が有する保持列Ｌ１〜Ｌ４の数、保持列Ｌ１〜Ｌ４が保持可能な部品リール８のリール径などに依存する。
【００５０】
図１２において、例えば、「条件番号」７１が「Ｃ００２」の制約条件は、占有するスロットＳの幅が「０．５」の薄型のテープフィーダ６Ｓ（オートロードフィーダ６Ａまたはマニュアルロードフィーダ６Ｍ）と、２本の小型の部品リール８Ｓで構成される部品供給ユニットＵを、リールホルダ２０を装着せずに保持部に配置する場合であり、隣接するテープフィーダ６とはスロット数「０．５」の間隔を空ける必要があることを示している。
【００５１】
図７において、情報取得部３５は、記憶部３１に記憶されるライン情報３１ｂ、リソース情報３１ｃ、部品供給ユニット情報３１ｅ、制約条件情報３１ｆから、部品供給ユニットＵを保持部に配置させる部品供給ユニット配置を決定するための各種情報を取得する。ユニット配置決定部３７は、取得された各種情報に基づいて、部品供給ユニット配置を決定し、ユニット配置３１ｇとして記憶部３１に記憶させる。より具体的にユニット配置決定部３７は、部品供給ユニット情報３１ｅに含まれる各部品供給ユニットＵを構成するテープフィーダ６が占有するスロットＳの数、部品リール８の数、部品リール８のリール径に基づいて、制約条件情報３１ｆを満たすように台車５のスロットＳにテープフィーダ６を割り当てる。
【００５２】
部品供給ユニット配置は、部品実装ラインを構成する装置（部品実装装置１）に装着する台車５毎（保持部毎）に作成される。また、ユニット配置決定部３７は、決定した部品供給ユニット配置を表示部３３、または作業者が携帯する携帯端末（図示省略）に表示させる。また、ユニット配置決定部３７は、配置することができない部品供給ユニットＵがある場合は、表示部３３または携帯端末にその旨を報知させる。
【００５３】
ここで図１３を参照して、図１１に示す部品供給ユニット情報３１ｅ、図１２に示す制約条件情報３１ｆに基づいて、図４、図５に示す保持部（台車５）にテープフィーダ６を割り当てたユニット配置３１ｇの例について説明する。この例は、１７本のスロットＳを有する台車５にリールホルダ２０を装着せずに部品供給ユニットＵを配置する条件で作成した部品供給ユニット配置である。ユニット配置３１ｇには、台車５のスロットＳの位置を特定する「スロット番号」８１、スロットＳに装着するテープフィーダ６を特定する「フィーダ番号」４１が含まれている。
【００５４】
図１３において、「スロット番号」８１が「Ｓ１Ｌ」のスロットＳには、「ユニット番号」６１が「Ｕ１０１」の部品供給ユニットＵを構成する「フィーダ番号」４１が「ＦＡ１０１」のオートロードフィーダ６Ａが割り当てられている。「ユニット番号」６１が「Ｕ１０１」の部品供給ユニットＵに対応する制約条件情報３１ｆの「条件番号」７１は「Ｃ００２」であり、「隣接間隔スロット数」７５を「０．５」以上空ける必要がある。そこで、ユニット配置決定部３７は、「ユニット番号」６１が「Ｕ１０２」の部品供給ユニットＵを構成する「フィーダ番号」４１が「ＦＡ１０２」のオートロードフィーダ６Ａを、スロットＳを「０．５」空けた「スロット番号」８１が「Ｓ２Ｌ」のスロットＳに割り当てる。
【００５５】
このように、ユニット配置決定部３７は、制約条件情報３１ｆと部品リール８の数とリール径、保持部の複数の保持列Ｌ１〜Ｌ４のそれぞれに保持することができる部品リール８のリール径に基づいて、部品供給ユニットＵを構成するテープフィーダ６を保持部に配置する間隔を決定する。
【００５６】
更に、ユニット配置決定部３７は、空いたスロットＳがあるスロットＳの位置にリールホルダ２０を割り当てて台車５が装着するテープフィーダ６の数を増やしたり、台車５におけるテープフィーダ６の位置を入れ替えて部品実装作業の生産性を高めるなどの最適化を実行する。部品実装作業の生産性を高める最適化には、公知の技術が利用可能である。
【００５７】
次に図１４のフローに沿って、部品供給ユニット配置を決定する部品供給ユニットの配置決定方法について説明する。まず、情報取得部３５は、生産データ３１ａ、リソース情報３１ｃを取得する（ＳＴ１）。次いでユニット構成決定部３６は、取得した情報に基づいて、生産に使用する部品供給ユニットＵを決定して部品供給ユニット情報３１ｅとして記憶させる（ＳＴ２）。
【００５８】
次いで情報取得部３５は、部品供給ユニット情報３１ｅ、制約条件情報３１ｆを取得する（ＳＴ３）。次いでユニット配置決定部３７は、制約条件情報３１ｆと部品リール８の数、リール径、保持部の保持列Ｌ１〜Ｌ４が保持することができる部品リール８のリール径に基づいて、部品供給ユニットＵを構成するテープフィーダ６を保持部に配置する間隔を決定し、部品供給ユニット配置を決定する（ＳＴ４）。ユニット配置決定部３７は、決定した部品供給ユニット配置をユニット配置３１ｇとして記憶するとともに、表示部３３または携帯端末に表示させる。またユニット配置決定部３７は、配置できない部品供給ユニットＵがある場合は、表示部３３または携帯端末にその旨を報知させる。
【００５９】
次に図１５（ａ）、図１５（ｂ）を参照して、他の保持部の例について説明する。図１５（ａ）において、テープフィーダ６の挿入口６ａ側の下部には、小型の部品リール８Ｓを保持することができる吊り下げリール保持部９Ａが装着されている。吊り下げリール保持部９Ａは、オートロードフィーダ６Ａとマニュアルロードフィーダ６Ｍに、着脱自在である。台車５に装着したテープフィーダ６に装着された吊り下げリール保持部９Ａの位置を第５保持列Ｌ５と称する。台車５と、台車５に装着したテープフィーダ６に装着された吊り下げリール保持部９Ａは、複数の保持列Ｌ１，Ｌ２，Ｌ５を有する他の保持部を構成する。
【００６０】
図１５（ａ）において、第５保持列Ｌ５に小型の部品リール８Ｓを保持するスロットＳの位置の第１保持列Ｌ１と第２保持列Ｌ２には、それぞれ小型の部品リール８Ｓを保持することができる。図１５（ｂ）において、第５保持列Ｌ５に小型の部品リール８Ｓを保持するスロットＳの位置の第２保持列Ｌ２には大型の部品リール８Ｌを保持させると、第１保持列Ｌ１には部品リール８を保持することはできない。
【００６１】
このように、他の保持部では、テープフィーダ６に吊り下げリール保持部９Ａを装着するとテープフィーダ６は部品リール８を保持可能となり、吊り下げリール保持部９Ａを装着しないとテープフィーダ６は部品リール８を保持不可能となる。すなわち、ユニット配置決定部３７は、部品供給ユニットＵを構成するテープフィーダ６が部品リール８を保持可能か否かに基づいて、部品供給ユニットＵを構成するテープフィーダを他の保持部に配置する間隔を決定し、部品供給ユニット配置を決定する。なお、他の保持部を使用する場合、他の保持部に対応した保持部情報３１ｄと制約条件情報３１ｆが使用される。
【００６２】
上記説明したように、本実施の形態の管理コンピュータ１３は、部品供給ユニットＵを構成する部品リール８の数の情報を含む部品供給ユニット情報３１ｅと、保持部に部品供給ユニットＵを配置する際に選択可能なレイアウトに関する情報を含む制約条件情報３１ｆとを取得する情報取得部３５と、制約条件情報３１ｆと部品リール８の数の情報に基づいて、部品供給ユニット配置を決定するユニット配置決定部３７を備えた、部品供給ユニットＵを保持部に配置させる部品供給ユニット配置を決定する部品供給ユニットの配置決定装置である。これによって、部品リール８とテープフィーダ６で構成された部品供給ユニットＵの最適な配置を決定することができる。
【００６３】
なお上述では、部品リール８のリール径は小型の部品リール８Ｓと大型の部品リール８Ｌの２種類であったが、部品リール８のリール径は２種類に限定されることはなく、３種類以上の部品リール８を含む場合であっても部品供給ユニットＵの最適な配置を決定することができることは当業者に理解されるところである。また、部品供給ユニットＵを構成する部品リール８が３本以上の場合も、保持部を構成する台車５、リールホルダ２０、吊り下げリール保持部９Ａの変形例も本発明の範囲にあることは当業者に理解されるところである。
【００６４】
また、部品供給ユニットＵを構成する部品リール８とテープフィーダ６の組み合わせは予め設定されていてもよいし、生産データ３１ａから適当な組み合わせを決定しても良い。予め設定する場合は、部品リール８に関するリソース情報３１ｃに使用するフィーダタイプ情報も含むことで、部品リール８に関するリソース情報３１ｃに基づいて、組み合わされるテープフィーダ６が決定される。また、生産データ３１ａから組み合わせる場合は、基板３の生産枚数と基板３に実装される部品の部品名（種類）に基づいて部品の使用数を予測し、リソース情報３１ｃから部品リール８に追加供給が必要であればオートロードフィーダ６Ａを組み合わせ、部品リール８に追加供給が不要であればマニュアルロードフィーダ６Ｍを組み合わせることで、組み合わされるテープフィーダ６が決定される。
【産業上の利用可能性】
【００６５】
本発明の部品供給ユニットの配置決定方法および部品供給ユニットの配置決定装置は、部品リールとテープフィーダで構成された部品供給ユニットの最適な配置を決定することができるという効果を有し、部品を基板に実装する分野において有用である。
【符号の説明】
【００６６】
５  台車（保持部）
６  テープフィーダ
６Ａ  オートロードフィーダ
７  部品収納テープ
８  部品リール
９Ａ  吊り下げリール保持部（保持部）
１３  管理コンピュータ（部品供給ユニットの配置決定装置）
２０  リールホルダ（保持部）
Ｌ１  第１保持列（保持列）
Ｌ２  第２保持列（保持列）
Ｌ３  第３保持列（保持列）
Ｌ４  第４保持列（保持列）
Ｌ５  第５保持列（保持列）
Ｕ  部品供給ユニット
【図１】
2019179810.tif 000003
【図２】
2019179810.tif 000004
【図３】
2019179810.tif 000005
【図４】
2019179810.tif 000006
【図５】
2019179810.tif 000007
【図６】
2019179810.tif 000008
【図７】
2019179810.tif 000009
【図８】
2019179810.tif 000010
【図９】
2019179810.tif 000011
【図１０】
2019179810.tif 000012
【図１１】
2019179810.tif 000013
【図１２】
2019179810.tif 000014
【図１３】
2019179810.tif 000015
【図１４】
2019179810.tif 000016
【図１５】
2019179810.tif 000017